(57)【要約】      （修正有）【課題】出射される光の方向性や均一性を高めることができる導光板、バックライトモジュール、及び表示装置を提供する。【解決手段】導光板１００は、光出力面１１０を備え、光出力面１１０は、凸レンズ１２１、複数の第１のマイクロ構造１２２、及び複数の第２のマイクロ構造１２３を含む。凸レンズ１２１は、光出力面１１０の中央に位置し、第１のマイクロ構造１２２はリング構造であり、複数の第１のマイクロ構造１２２は互いに同心であり、且つ凸レンズ１２１の周囲を取り囲んでおり、第２のマイクロ構造１２３は弧状構造であり、複数の第１のマイクロ構造１２２の外周を取り囲んでいる。第１のマイクロ構造１２２と第２のマイクロ構造１２３の両方は、透過光線を偏向させるための屈折面Ｓを有し、少なくとも最も外側に位置する第２のマイクロ構造１２３の屈折面Ｓには、複数のストライプ状突出構造が設けられている。【選択図】図２
0003231452.tif 000002
【実用新案登録請求の範囲】
【請求項１】
光出力面を備え、
前記光出力面は、
前記光出力面の中央に位置する凸レンズと、
リング構造であり、互いに同心であり、且つ前記凸レンズの周囲を取り囲んでいる複数の第１のマイクロ構造と、
弧状構造であり、且つ複数の前記第１のマイクロ構造の周囲を取り囲んでいる複数の第２のマイクロ構造と、を含み、
前記第１のマイクロ構造と前記第２のマイクロ構造の両方は、透過光線を偏向させるための屈折面を有し、少なくとも最も外側に位置する前記第２のマイクロ構造の屈折面には、複数のストライプ状突出構造が設けられている、
ことを特徴とする導光板。
【請求項２】
複数の前記屈折面の傾きの程度は、前記光出力面の内側から前記光出力面の外側に向かって徐々に増加する、
ことを特徴とする請求項1に記載の導光板。
【請求項３】
前記第１のマイクロ構造と前記第２のマイクロ構造の両方は、弧状辺を有し、ストライプ状突出構造は、弧状であり、前記ストライプ状突出構造の伸長方向は、前記弧状辺の伸長方向と同じである、
ことを特徴とする請求項１又は２に記載の導光板。
【請求項４】
前記光出力面は、中央領域、及び前記中央領域の周囲に位置する周辺領域を有し、前記周辺領域に位置する前記第１のマイクロ構造及び前記第２のマイクロ構造の前記屈折面には、前記ストライプ状突出構造が設けられている、
ことを特徴とする請求項１〜３の何れか一つに記載の導光板。
【請求項５】
前記光出力面に接続される光入力面をさらに備え、
前記光入力面は、複数の構造部を含み、前記構造部には複数の光入力マイクロ構造が形成されており、前記光入力マイクロ構造は、前記光入力面に入る光を発散させるために用いられ、
前記光入力マイクロ構造は、屈折面を含み、前記構造部において、複数の前記屈折面の傾きの程度は、前記構造部の内側から前記構造部の外側に向かって徐々に増加する、
ことを特徴とする請求項１〜４の何れか一つに記載の導光板。
【請求項６】
前記光入力面は、光源モジュールに対応して配置され、前記光源モジュールは、複数の光源を含み、前記構造部は、光源に対応して配置される、
ことを特徴とする請求項５に記載の導光板。
【請求項７】
請求項１〜６のいずれか一項に記載の導光板を備える、
ことを特徴とするバックライトモジュール。
【請求項８】
請求項７に記載のバックライトモジュールと、
前記バックライトモジュールの上方に配置される表示パネルと、
を備えることを特徴とする表示装置。
【考案の詳細な説明】
【技術分野】
【０００１】
本考案は、導光板、バックライトモジュール、及び表示装置に関し、特に、光学品質に優れた導光板、及び当該導光板を使用するバックライトモジュール及び表示装置に関する。
【背景技術】
【０００２】
発光ダイオード（Ｌｉｇｈｔ  Ｅｍｉｔｔｉｎｇ  Ｄｉｏｄｅ、ＬＥＤ）は、その体積が小さく、環境に優しく、及び寿命が長いなどのメリットにより、液晶ディスプレイ（Ｌｉｑｕｉｄ  Ｃｒｙｓｔａｌ  Ｄｉｓｐｌａｙ、ＬＣＤ）のバックライト光源の主流になっている。ＬＥＤは、点光源の発光特性を持っているため、発光強度が不均一になるという問題がある。
【０００３】
図１を参照すると、図１は、従来のＬＣＤの導光板１０の外観の概略図である。導光板１０は、機能特性に応じて有効領域（Ａｃｔｉｖｅ  ａｒｅａ、ＡＡ）１１ａと光混合領域（Ｍｉｘｉｎｇ  ａｒｅａ）１１ｂに分けることができる光出射面１１を含む。額縁１３は、下部額縁１３ａを含んでいる。ＬＥＤ（図示せず）は、導光板１０の片側に設けられ、ＬＥＤによって射出された光は、光が均一化されてから有効領域１１ａから出力するように、導光板１０の光混合領域１１ｂに入る。有効領域１１ａは、従来のＬＣＤの可視範囲に対応する。有効領域１１ａに均一な輝度の要件を満たさせるために、一般的に十分な光混合距離Ｃ１を設定する必要があり、光混合距離Ｃ１が長いほど、有効領域１１ａと光出射面１１が占める比率が低くなり、すなわち、ＬＣＤのスクリーン対ボディ比（Ｓｃｒｅｅｎ−ｔｏ−ｂｏｄｙ  Ｒａｔｉｏ）が低くなる。一般的に、光混合距離Ｃ１と下部額縁１３ａの長さＣ２の合計は、Ｂｏ（Ｂｏｒｄｅｒ、境界）値と呼ばれ（すなわち、Ｂｏ＝Ｃ１＋Ｃ２、側壁から可視範囲までの距離として定義される）、Ｂｏ値がスクリーン対ボディ比の指標として使用され、Ｂｏ値が低いほど、ＬＣＤのスクリーン対ボディ比は高くなる。
【０００４】
現在の市場のニーズを満たすために、どのように高いスクリーン対ボディ比と均一な光出力を有するＬＣＤを開発するかが関連業界の目標となる。
【考案の概要】
【０００５】
本考案は、上記の課題を解決するために、導光板、バックライトモジュール、及び表示装置を提供することを目的としている。
本考案の一実施形態によれば、光出力面を備える導光板が提供される。光出力面は、凸レンズ、複数の第１のマイクロ構造、及び複数の第２のマイクロ構造を含む。凸レンズは、光出力面の中央に位置する。第１のマイクロ構造はリング状構造であり、複数の第１のマイクロ構造は互いに同心であり、且つ凸レンズの周囲を取り囲んでいる。第２のマイクロ構造は弧状構造であり、複数の第１のマイクロ構造の周囲を取り囲んでいる。第１のマイクロ構造と第２のマイクロ構造の両方は、透過光線を偏向させるための屈折面を有し、少なくとも最も外側に位置する第２のマイクロ構造の屈折面には、複数のストライプ状突出構造が設けられている。
【０００６】
本考案の別の実施形態によれば、前述導光板を備えるバックライトモジュールが提供される。
【０００７】
本考案のさらに別の実施形態によれば、前述バックライトモジュールと、バックライトモジュールの上方に配置される表示パネルとを備える表示装置が提供される。
【０００８】
従来技術に比べて、本考案の導光板は、光出力面に凸レンズ、複数の第１のマイクロ構造、及び複数の第２のマイクロ構造を設けており、これにより、出射される光の方向性や均一性を高めることができる。また、ストライプ状突出構造と合わせて、周辺領域に暗い角が現れることを防止し、光出力の均一性を向上させ、光混合領域が小さく且つスクリーン対ボディ比が高いバックライトモジュールまたは表示装置を得ることができる。
【図面の簡単な説明】
【０００９】
【図１】図１は、従来の液晶ディスプレイの導光板の外観の概略図である。
【図２】図２は、本考案の実施形態による導光板の上面図である。
【図３】図３は、図２におけるＡ部分の部分拡大図である。
【図４】図４は、図２におけるＡ部分の斜視概略図である。
【図５】図５は、図２におけるＢ部品の断面線４−４に沿った断面図である。
【図６】図６は、図４における構造部の概略断面図である。
【図７】図７は、本考案の別の実施形態によるバックライトモジュールの斜視概略図である。
【図８】図８は、本考案のさらに別の実施形態による表示装置の斜視概略図である。
【図９】図９は、比較例の実施形態の従来のバックライトモジュールのライトフィールドシミュレーション分布図である。
【図１０】図１０は、本考案の別の実施形態によるバックライトモジュールのライトフィールドシミュレーション分布図である。
【考案を実施するための形態】
【００１０】
本考案の前述及びその他の技術的内容、特徴、及び効果は、添付の図面を参照した以下の好ましい実施形態の詳細な説明において、明らかになる。以下の実施例で言及される方向の用語、例えば、上、下、左、右、前、後、底、天井などは、ただ図面を参照した方向である。したがって、ここで使用される方向の用語は、本考案を制限するのではなく、ただ説明するために使用される。また、以下の実施形態では、同じまたは類似の要素は、同じまたは類似の符号を使用する。
【００１１】
本考案では、導光板は、バックライトモジュールに使用でき、バックライトモジュールは、液晶ディスプレイ（Ｌｉｑｕｉｄ  Ｃｒｙｓｔａｌ  Ｄｉｓｐｌａｙ、ＬＣＤ）パネルの光源に使用できる。バックライトモジュールの各素子には、底面と天井面を有し、底面と天井面はＬＣＤパネルを基準として定義され、各素子のＬＣＤパネルから離れた側の面は底面であり、ＬＣＤパネルに面する側の面は天井面である。本考案で言及される中央は、絶対位置ではなく、部材全体を基準とした相対的な中央を指す。
【００１２】
図２及び図５を参照すると、図２は、本考案の実施形態による導光板１００の上面図であり、図５は、図２におけるＢ部分の断面線４−４に沿った断面図であり、図５において、断面線と光線Ｌとの干渉を避けるために、断面線は省略されている。導光板１００は、光出力面１１０を含む。光出力面１１０は、凸レンズ１２１、複数の第１のマイクロ構造１２２、及び複数の第２のマイクロ構造１２３を含む。凸レンズ１２１は、光出力面１１０の中央に配置されている。例えば、適用された表示装置の有効領域（Ａｃｔｉｖｅ  Ａｒｅａ、ＡＡ）、及び視覚領域（Ｖｉｓｕａｌ  Ａｒｅａ、ＶＡ）に対して中央に配置されてもよい。第１のマイクロ構造１２２は、リング状構造であり、複数の第１のマイクロ構造１２２は互いに同心であり、且つ凸レンズ１２１の周囲を取り囲んでいる。第２のマイクロ構造１２３は、弧状構造であり、且つ凸レンズ１２１及び／又は第１のマイクロ構造１２２の周囲を取り囲んでいる。本実施形態の導光板１００の光出力面１１０には、凸レンズ１２１、凸レンズ１２１の周囲を取り囲む第１のマイクロ構造１２２、及び複数の第１のマイクロ構造１２２の周囲を取り囲む第２のマイクロ構造１２３を、中央から周辺に順次配置しており、これらの構造は同心円状のマイクロ構造を形成する。各第１のマイクロ構造１２２及び各第２のマイクロ構造１２３は、いずれも透過光線Ｌを偏向させるための屈折面Ｓを有する（図５を参照）。
【００１３】
図３及び図４を同時に参照すると、図３は、図２におけるＡ部分の部分拡大図であり、図４は、図２におけるＡ部分の斜視概略図であり、図３及び図４に示すように、少なくとも最も外側に位置する第２のマイクロ構造１２３の屈折面Ｓには、複数のストライプ状突出構造１２４が設けられている。また、簡明化のために、ストライプ状突出構造１２４は、図２では省略されており、図３及び４にのみ示されている。
【００１４】
図５を参照すると、図５は凸レンズ１２１、及び凸レンズ１２１に隣接する３つの第１のマイクロ構造１２２を示している。内側から外側の順に、第１のマイクロ構造１２２a、１２２ｂ、及び１２２ｃである。この３つの第１のマイクロ構造１２２の１２２a、１２２ｂ、１２２ｃの屈折面Ｓは、順に屈折面Ｓ１、Ｓ２、Ｓ３である。複数の屈折面Ｓ１、Ｓ２、Ｓ３の傾きの程度は互いに異なり、且つ複数の屈折面Ｓ１、Ｓ２、Ｓ３の傾きの程度は、光出力面１１０の内側から光出力面１１０の外側に向かって徐々に増加する。図５は、導光板１００のＢ部分を例として説明しているが、導光板１００の全体として、光出力面１１０の第１のマイクロ構造１２２及び第２のマイクロ構造１２３において、複数の屈折面Ｓのうちの一方の傾きの程度は、複数の屈折面Ｓのうちの他方の傾きの程度と異なり得る。好ましくは、複数の屈折面Ｓの傾きの程度は、光出力面１１０の内側から光出力面１１０の外側に向かって徐々に変化する。例えば、複数の屈折面Ｓの傾きの程度は、光出力面１１０の内側から光出力面１１０の外側に向かって徐々に増加し得る。この実施形態では、屈折面Ｓ（Ｓ１、Ｓ２、Ｓ３）は平面であるが、本考案はこれに限定されない。他の実施形態では、屈折面Ｓ（Ｓ１、Ｓ２、Ｓ３）は曲面であってもよく、例えば、凸レンズ１２１に類似しており、外向きに凸状の曲面であり得る。
【００１５】
より具体的には、凸レンズ１２１、複数の第１のマイクロ構造１２２、及び複数の第２のマイクロ構造１２３は、互いに合わせて、凸レンズの特性を有する。すなわち、凸レンズ１２１、複数の第１のマイクロ構造１２２、及び複数の第２のマイクロ構造１２３の３つの全体は一つの凸レンズと見なすことができ、凸レンズ１２１と区別するために、以下では一体型凸レンズと呼ばれる。レンズの式によると、式（I）に示すようである。
【００１６】
【数１】
0003231452.tif 000003
【００１７】
式（Ｉ）において、ｆはレンズの焦点距離であり、ｎはレンズ材料の屈折率であり、ｎｍはレンズの周囲を取り込む材料の屈折率であり、Ｒ１は光源に近いレンズの側面の曲率半径であり、Ｒ２は光源から離れたレンズの側面の曲率半径である。式（I）を一体型凸レンズに適用すると、一体型凸レンズの、導光板１００の底面１５０に面する（図４参照）の側の曲率半径はＲ１であり、一体型凸レンズの、外側に面する側の曲率半径はＲ２であり、Ｒ１及びＲ２の数値を調整することにより、光出力面１１０から透過した光線Ｌを平行光にすることができる。例えば、Ｒ１＝Ｒ２≒０．３ｍｍ、ｆが無限大の場合、一体型凸レンズは平行光レンズになり、出力光の指向性や均一性に有利である。
【００１８】
具体的には、図２〜図４に示すように、各第１のマイクロ構造１２２及び各第２のマイクロ構造１２３は、弧状辺Ｅを有し、各ストライプ状突出構造１２４は弧状であり、各ストライプ状突出構造１２４の伸長方向Ｅ２は弧状辺Ｅの伸長方向Ｅ１と実質的に同じである。
【００１９】
図２〜図４に示すように、光出力面１１０は、中央領域１１１と、中央領域１１１の周囲に位置する周辺領域１１２とを有してもいい。周辺領域１１２における第２のマイクロ構造１２３の屈折面Ｓには、ストライプ状突出構造１２４が設けられている。例えば、周辺領域１１２は、光源が配置されていない導光板１００に隣接する側であってもいい。本実施形態では、中央領域１１１はより広い領域をカバーし、周辺領域１１２は第２のマイクロ構造１２３のみを含む。しかしながら、本考案はこれに限定されない。他の実施形態では、中央領域１１１によってカバーされる領域を縮小するが、周辺領域１１２は、第１のマイクロ構造１２２及び第２のマイクロ構造１２３の両方を含んでもいい。この場合、周辺領域１１２の第１のマイクロ構造１２２及び第２のマイクロ構造１２３の屈折面Ｓには、ストライプ状突出構造１２４が設けられている。なお、同じ第１のマイクロ構造１２２または同じ第２のマイクロ構造１２３の一部が中央領域１１１に存在し、残り部分が周辺領域１１２に存在する場合、周辺領域１１２に存在する残り部分の屈折面Ｓのみに突出構造１２４を設けてもよい。図３に示すように、ストライプ状突出構造１２４は、光線Ｌを発散させることができるため、周辺領域１１２にストライプ状突出構造１２４を設けることにより、周辺領域１１２に暗い角が現れることを防止し、導光板１００の光出力均一性をさらに向上させることができる。
【００２０】
図２を参照すると、周辺領域１１２は、第１の辺長Ｄ１及び第２の辺長Ｄ２を有し、中央領域１１１は、第３の辺長Ｄ３を有する。導光板１００の一方の側の辺長に関して、当該側の辺長は、前述の第１の辺長Ｄ１、第２の辺長Ｄ２、及び第３の辺長Ｄ３の合計であり、一方の側の辺長（Ｄ１＋Ｄ２＋Ｄ３）に対する、第１の辺長Ｄ１と第２の辺長Ｄ２の合計の比率は、０％より大きく１０％以下である。これにより、一方では、周辺領域１１２に暗い角が現れることを防止することができ、他方では、光出力面１１０から透過される光線Ｌのコリメーションを維持し、正面の輝度を高めることができる。
【００２１】
図４に示すように、導光板１００は、光入力面１３０をさらに含むことができ、光入力面１３０は、光出力面１１０に接続されている。光入力面１３０は、複数の構造部１４０を含む。各構造部１４０には、複数の光入力マイクロ構造が形成されており、すなわち、光入力面１３０に入る光線を発散させるための第１の光入力マイクロ構造１４１及び第２の光入力マイクロ構造１４２が形成されている。同時に図６を参照すると、図６は図４における構造部１４０の概略断面図である。簡明化のために、断面線は省略されている。具体的には、構造部１４０は、中心に配置されている第１の光入力マイクロ構造１４１と、第１の光入力マイクロ構造１４１の周囲を取り囲む複数の第２の光入力マイクロ構造１４２とを含む。第１の光入力マイクロ構造１４１は凹レンズであってもよく、第２の光入力マイクロ構造１４２はリング状構造または弧状構造であってもよい。ここで、弧状構造を例として、複数の第２の光入力マイクロ構造１４２は互いに同心である。
【００２２】
各第２の光入力マイクロ構造１４２は、屈折面Ｔを備える。明確に説明するために、図６の第１の光入力マイクロ構造１４１に隣接する３つの第２の光入力マイクロ構造１４２は別途にマークし、内側から外側へ順に第２の光入力マイクロ構造１４２ａ、１４２ｂ、１４２ｃであり、第２の光入力マイクロ構造１４２a、１４２ｂ、１４２ｃの屈折面Ｔは、順に屈折面Ｔ１、Ｔ２、Ｔ３であり、複数の屈折面Ｔ１、Ｔ２、Ｔ３の傾きの程度は互いに異なり、かつ複数の屈折面Ｔ１、Ｔ２、Ｔ３の傾きの程度は、構造部１４０の内側から外側に向かって徐々に増加する。構造部１４０の全体として、複数の第２の光入力マイクロ構造１４２において、複数の屈折面Ｔの一方の傾きの程度は、複数の屈折面Ｔの他方の傾きの程度と異なっていてもよい。好ましくは、複数の屈折面Ｔの傾きの程度は、構造部１４０の内側から構造部１４０の外側に向かって徐々に変化する。例えば、複数の屈折面Ｔの傾きの程度は、構造部１４０の内側から構造部１４０の外側に向かって徐々に増加してもよい。本実施形態では、屈折面Ｔ（Ｔ１、Ｔ２、Ｔ３）は曲面であり、第１の光入力マイクロ構造１４１と類似に、内側向きに凹んだ曲面である。しかしながら、本考案はこれに限定されない。他の実施形態において、屈折面Ｔ（Ｔ１、Ｔ２、Ｔ３）は、平面であってもよい。
【００２３】
より具体的には、第１の光入力マイクロ構造１４１と複数の第２の光入力マイクロ構造１４２は互いに合わせて凹レンズ特性を有することができ、すなわち、第１の光入力マイクロ構造１４１と複数の第２の光入力マイクロ構造１４２との組み合わせにより形成された構造部１４０は、全体として凹レンズと見なすことができる。上記の式（I）を構造部１４０に適用すると、構造部１４０の外側１４３の曲率半径はＲ１であり、構造部１４０の内側１４４の曲率半径はＲ２である。Ｒ１及びＲ２の値を調整することにより、外側１４３から構造部１４０に入って内側１４４から出射される光は発散光となる。例えば、Ｒ１＝無限大、Ｒ２＝０．５ｍｍ、ｆが負の値の場合、構造部１４０は発散光レンズであり、これにより、光が導光板１００の内部の各隅に入ってエネルギー分布面積を拡大し、出力光の均一性をさらに向上させることができる。
【００２４】
図７を参照すると、図７は本考案の別の実施形態によるバックライトモジュール２０の斜視概略図であり、ここでは、一部のみが示されている。バックライトモジュール２０は、導光板１００及び光源モジュール２００を含む。光源モジュール２００は、複数の光源２１０を含む。構造部１４０は、光源２１０に対応して配置される。光源モジュール２００は、ＬＥＤライトバーであってもよく、光源２１０は、ＬＥＤであってもよい。各光源２１０からの光は、光入力面１３０上の一つの構造部１４０に対応して導光板１００に入った後、導光板１００を通して、光出力面１１０から出射する。バックライトモジュール２０には、光学特性を向上させるために、例えば、反射シート、拡散シート、プリズムシート（集光シート）などの他の光学シートを任意に追加することができる。バックライトモジュール２０に上述の導光板１００を含めることにより、バックライトモジュール２０は、より短い光混合領域及びより高いスクリーン対ボディ比を有することができる。導光板１００の詳細については、上記の内容を参照し、ここでは繰り返さない。
【００２５】
図８を参照すると、図８は本考案のさらに別の実施形態による表示装置３０の斜視概略図であり、ここでは、一部のみが示されている。表示装置３０は、バックライトモジュール２０と表示パネル３００を含み、表示パネル３００は、バックライトモジュール２０の上方に配置されている。バックライトモジュール２０は、表示パネル３００に光を提供するために使用され、表示パネル３００は、ＬＣＤパネルであってもよい。バックライトモジュール２０の詳細については、上記の内容を参照し、ここでは繰り返されない。
【００２６】
図９を参照すると、図９は従来のバックライトモジュールのライトフィールドシミュレーション分布図である。従来のバックライトモジュールの導光板の光入力面には構造部がなく、かつ光出力面には凸レンズ、第１のマイクロ構造、及び第２のマイクロ構造がない。導光板を１１行、１１列に分割し、すなわち、導光板を１２１個の領域に分割し、各領域の測定された輝度（各領域内で射出される光束）を表１に示す。ここで、シミュレーション条件のＢｏ値（側壁から可視範囲までの距離）を８.０ｍｍとする。その中で、表１の図９に示すＰ１〜Ｐ５などの５点とＰ１〜Ｐ１３などの１３点に対応する領域の輝度を取り、Ｐ１〜Ｐ５などの５点及びＰ１〜Ｐ１３などの１３点の一様性（Ｕｎｉｆｏｒｍｉｔｙ）と輝度一様性（Ｌｕｍｉｎａｎｃｅ  Ｕｎｉｆｏｒｍｉｔｙ）を算出する。式（II）、（III）に示すように、ここで、最小輝度値（Ｌｍｉｎ）は、選択した領域で輝度が最も小さい値であり、最大輝度値（Ｌｍａｘ）は、選択した領域で輝度が最も大きい値であり、輝度平均値は、選択した領域の輝度の平均値である。
【００２７】
一様性＝（最小輝度値/最大輝度値）×１００％（II）
輝度一様性＝輝度平均値（III）
【００２８】
図１０を参照すると、図１０は本考案によるバックライトモジュール２０のライトフィールドシミュレーション分布図である。同様に、導光板１００を１２１個の領域に分割し、各領域の測定された輝度を表２に示し、ここで、シミュレーション条件のＢｏ値を３．５ｍｍとする。Ｐ１〜Ｐ５などの５点とＰ１〜Ｐ１３などの１３点の一様性と輝度一様性を算出し、光学シミュレーション解析の結果を表２に示す。
【００２９】
【表１】
0003231452.tif 000004
【００３０】
【表２】
0003231452.tif 000005
【００３１】
表１及び表２から、シミュレーション結果を得るには、光学シミュレーション値を取得するために事前にＢｏ値を設定する必要があることがわかる。したがって、従来のバックライトモジュールのＢｏ値は、共通幅８.０ｍｍに設定され、本考案のバックライトモジュール２０のＢｏ値は、３．５ｍｍに設定されている。しかしながら、導光板の領域区分数が同様に１２１個であるという前提では、本考案のバックライトモジュール２０の５点の一様性は、約８．１４％を高め、１３点の一様性は、約１５．４９％を高めることができる。なお、５点の輝度一様性または１３点の輝度一様性もそれぞれ約１６％、２０％を高めており、これは、本考案によるバックライトモジュール２０の光出力面１１０のエネルギー分布領域がより大きく、より均一であることを証明している。これにより、本考案のバックライトモジュール２０のＢｏ値の仮定が正しく、有効であることが検証されている。したがって、本考案のバックライトモジュール２０のスクリーン対ボディ比は、従来のバックライトモジュールのスクリーン対ボディ比よりも向上される。
【００３２】
従来技術に比べて、本考案の導光板は、光出力面に凸レンズ、複数の第１のマイクロ構造、及び複数の第２のマイクロ構造を設けており、これにより、出射される光の方向性や均一性を高めることができる。また、ストライプ状突出構造と合わせて、周辺領域に暗い角が現れることを防止でき、光出力の均一性を向上させ、さらに光混合領域を減らし、スクリーン対ボディ比を向上するのに役立つ。好ましくは、本考案の導光板は、光入力面に構造部を設けて、光源の光は、構造部により偏向されて発散され、これにより、光が導光板の内部の隅々まで入りやすくなり、エネルギー分布面積を増加させることができ、出力光の均一性をさらに向上させる。
【００３３】
上記の説明は、本考案の好ましい実施形態にすぎず、本考案の出願の範囲に従って行われたすべての同等の変更及び修正は、本考案の範囲内に含まれるものとする。
【符号の説明】
【００３４】
１０、１００  導光板
２０  バックライトモジュール
３０  表示装置
１１  光出射面
１１ａ  有効領域
１１ｂ  光混合領域
１３  額縁
１３ａ  下部額縁
１１０  光出力面
１１１  中央領域
１１２  周辺領域
１２１  凸レンズ
１２２、１２２ａ、１２２ｂ、１２２ｃ  第１のマイクロ構造
１２３  第２のマイクロ構造
１２４  ストライプ状突出構造
１３０  光入力面
１４０  構造部
１４１  第１の光入力マイクロ構造
１４２、１４２ａ、１４２ｂ、１４２ｃ  第２の光入力マイクロ構造
１４３  外側
１４４  内側
１５０  底面
２００  光源モジュール
２１０  光源
３００  表示パネル
Ａ、Ｂ  部分
Ｂｏ  光混合距離と下部額縁の長さの合計
Ｃ１  光混合距離
Ｃ２  長さ
Ｄ１  第１の辺長
Ｄ２  第２の辺長
Ｄ３  第３の辺長
Ｅ  弧状辺
Ｅ１、Ｅ２  伸長方向
Ｌ  光線
Ｐ１、Ｐ２、Ｐ３、Ｐ４、Ｐ５、Ｐ６、Ｐ７、Ｐ８、Ｐ９、Ｐ１０、Ｐ１１、Ｐ１２、Ｐ１３  点
Ｓ、Ｓ１、Ｓ２、Ｓ３  屈折面
Ｔ、Ｔ１、Ｔ２、Ｔ３  屈折面
【図１】
0003231452.tif 000006
【図２】
0003231452.tif 000007
【図３】
0003231452.tif 000008
【図４】
0003231452.tif 000009
【図５】
0003231452.tif 000010
【図６】
0003231452.tif 000011
【図７】
0003231452.tif 000012
【図８】
0003231452.tif 000013
【図９】
0003231452.tif 000014
【図１０】
0003231452.tif 000015